(57)【要約】【課題】トラフ（又はピット）蓋を敷設後に動きにくくすると共に、容易に開閉できるようにする。  【解決手段】  トラフ蓋12の長さ方向の一端側の上面に、長さ方向に２本の縦溝部16Aを形成すると共に、この２本の縦溝部の先端をつなぐように横溝部18を形成し、かつ長さ方向の他端側の上面に、長さ方向に２本の縦溝部16Bを形成すると共に、この２本の縦溝部の先端に下面まで貫通する２つの穴22を形成する。トラフ蓋12を、隣り同士で横溝部18を形成した方の端縁と穴22を形成した方の端縁とが突き合わさるように敷設し、隣り合うトラフ蓋12の横溝部18及び縦溝部16A、16Bに、連結金具30の横棒部34及び縦棒部32を嵌め込むと共に、トラフ蓋の穴22に連結金具30の鉤部36を挿入して、隣り合うトラフ蓋12、12を連結する。【選択図】  図４
2007060786.tif 000002
【特許請求の範囲】
【請求項１】
トラフ又はピットの開口部に被せられる四角形の蓋であって、その長さ方向の一端側の上面に、当該一端側の端縁から長さ方向に２本の縦溝部を形成すると共に、この２本の縦溝部の前記端縁から離れた位置をつなぐように横溝部を形成し、かつ長さ方向の他端側の上面に、当該他端側の端縁から前記一端側の２本の縦溝部と端縁での位置が同じになるように長さ方向に２本の縦溝部を形成すると共に、この２本の縦溝部内の前記他端側の端縁から離れた位置に下面まで貫通する２つの穴を形成したことを特徴とするトラフ又はピット蓋。
【請求項２】
請求項１記載のトラフ又はピット蓋を、隣り同士で前記横溝部を形成した方の端縁と穴を形成した方の端縁とが突き合わさるように敷設したときに、隣り合う蓋同士を連結する金具であって、隣り合うトラフ又はピット蓋の縦溝部に跨って嵌め込まれる２本の縦棒部と、一方のトラフ又はピット蓋の横溝部に嵌め込まれる横棒部と、他方のトラフ又はピット蓋の２つの穴に挿入される２本の鉤部とを、一体に形成したことを特徴とするトラフ又はピット蓋の連結金具。
【請求項３】
２本の鉤部は、その上端部よりも下端部の方が間隔が広く又は狭くなるようにハの字形又は逆ハの字形に形成されていることを特徴とする請求項２記載の連結金具。
【請求項４】
請求項１記載のトラフ又はピット蓋を、隣り同士で前記横溝部を形成した方の端縁と穴を形成した方の端縁とが突き合わさるように敷設し、隣り合うトラフ又はピット蓋の横溝部及び縦溝部に、請求項２又は３記載の連結金具の横棒部及び縦棒部を嵌め込むと共に、トラフ又はピット蓋の穴に前記連結金具の鉤部を挿入したことを特徴とするトラフ又はピット蓋の連結構造。
【発明の詳細な説明】
【技術分野】
【０００１】
本発明は、トラフ又はピットの上面開口部に被せる蓋と、その蓋の連結金具及び連結構造に関するものである。
【背景技術】
【０００２】
図５にトラフ蓋の使用状態を示す。図において、１０は所要の区間に敷設されたトラフ、１２はトラフ１０の上面開口部に被せたトラフ蓋、１４は敷設されたトラフ１０の両サイドに埋め戻した土（又はコンクリート）である。トラフ蓋１２は作業性等を考慮して一定の長さに製作されているため、トラフ１０に被せるときは、多数のトラフ蓋１２を隣り同士で端面を突き合わせるようにして敷設される。
【０００３】
ピット蓋の場合も同様である（特許文献１参照）。
【０００４】
【特許文献１】登録実用新案第３０４５８１６号公報
【発明の開示】
【発明が解決しようとする課題】
【０００５】
トラフ蓋は前述のように隣り同士端面を突き合わせて敷設されるため、図５のように、トラフ蓋の上面が地表レベルとなるように土を埋め戻すと、トラフ蓋の開閉が困難になる。
【０００６】
またトラフ蓋は敷設後の移動や跳ね上がりを防止するため、動きにくくする必要がある。特に合成樹脂製のトラフ蓋はコンクリート製のトラフ蓋に比べ軽量であるため、移動防止対策が必要である。特許文献１では、逆Ｕ字形の連結金具を使用し、その連結金具の２本の脚部を、隣り合うピット蓋に片方ずつ挿入し、隣り合うピット蓋を連結することで、ピット蓋を動きにくくしている。しかしこの構造では、ピット蓋の開閉が困難になる。
【０００７】
本発明の目的は、敷設後に動きにくくすることができ、しかも容易に開閉することが可能なトラフ又はピット蓋と、その連結金具及び連結構造を提供することにある。
【課題を解決するための手段】
【０００８】
本発明に係るトラフ又はピット蓋は、トラフ又はピットの開口部に被せられる四角形の蓋であって、その長さ方向の一端側の上面に、当該一端側の端縁から長さ方向に２本の縦溝部を形成すると共に、この２本の縦溝部の前記端縁から離れた位置をつなぐように横溝部を形成し、かつ長さ方向の他端側の上面に、当該他端側の端縁から前記一端側の２本の縦溝部と端縁での位置が同じになるように長さ方向に２本の縦溝部を形成すると共に、この２本の縦溝部内の前記他端側の端縁から離れた位置に下面まで貫通する２つの穴を形成したことを特徴とする。
【０００９】
本発明に係るトラフ又はピット蓋の連結金具は、上記のトラフ又はピット蓋を、隣り同士で前記横溝部を形成した方の端縁と穴を形成した方の端縁とが突き合わさるように敷設したときに、隣り合う蓋同士を連結する金具であって、隣り合うトラフ又はピット蓋の縦溝部に跨って嵌め込まれる２本の縦棒部と、一方のトラフ又はピット蓋の横溝部に嵌め込まれる横棒部と、他方のトラフ又はピット蓋の２つの穴に挿入される２本の鉤部とを、一体に形成したことを特徴とする。
【００１０】
上記トラフ又はピット蓋の連結金具において、２本の鉤部は、その上端部よりも下端部の方が間隔が広く又は狭くなるようにハの字形又は逆ハの字形に形成されていることが好ましい。
【００１１】
本発明に係るトラフ又はピット蓋の連結構造は、上記のように構成されたトラフ又はピット蓋を、隣り同士で前記横溝部を形成した方の端縁と穴を形成した方の端縁とが突き合わさるように敷設し、隣り合うトラフ又はピット蓋の横溝部及び縦溝部に、上記のように構成された連結金具の横棒部及び縦棒部を嵌め込むと共に、トラフ又はピット蓋の穴に前記連結金具の鉤部を挿入したことを特徴とする。
【発明の効果】
【００１２】
本発明によれば、トラフ又はピット蓋を、隣り同士で横溝部を形成した方の端縁と穴を形成した方の端縁とが突き合わさるように敷設すると、隣り合うトラフ又はピット蓋の縦溝部が連続するので、この状態で、連結金具の鉤部をトラフ又はピット蓋の穴に挿入すると共に、連結金具の横棒部及び縦棒部をトラフ又はピット蓋の横溝部及び縦溝部に嵌め込むだけで、簡単に隣り合うトラフ又はピット蓋を連結することができる。したがってトラフ又はピット蓋を動き難くすることができる。
【００１３】
またトラフ又はピット蓋を開くときは、連結金具の横棒部を持って鉤部が穴から抜け出ないように連結金具を立ち上げると、連結金具の鉤部がトラフ又はピット蓋の下面に引っ掛かるので、この状態で、連結金具を引き上げれば、トラフ又はピット蓋を容易に開くことができる。トラフ又はピット蓋を再び閉じるときは、この逆の手順を踏めばよい。
【００１４】
なお、連結金具の２本の鉤部を、平行ではなく、ハの字形又は逆ハの字形に形成しておくと、鉤部をトラフ又はピット蓋の穴に挿入したときに、縦棒部が捻られ、その弾性反発力で鉤部が穴内面に押し付けられるため、トラフ又はピット蓋を連結する連結金具が外れにくくなるという利点がある。
【発明を実施するための最良の形態】
【００１５】
図１は本発明に係るトラフ蓋の一実施形態を示す。この実施形態ではトラフ蓋として説明するが、ピット蓋の場合も同じである。このトラフ蓋１２には、その長さ方向の一端側（図で左端側）の上面に、当該一端側の端縁から長さ方向に２本の縦溝部１６Ａが、蓋幅方向に適当な間隔をおいて形成され、この２本の縦溝部１６Ａの前記端縁から離れた位置（図示の例では先端）をつなぐように横溝部１８が形成されている。縦溝部１６Ａと横溝部１８は同じ深さで連続している。横溝部１８の中間には溝幅の広い拡幅部２０が設けられている。
【００１６】
また、トラフ蓋１２の長さ方向の他端側（図で右端側）の上面には、当該他端側の端縁から長さ方向に２本の縦溝部１６Ｂが形成されている。この２本の縦溝部１６Ｂは、前記一端側の２本の縦溝部１６Ａと端縁での位置が同じになるように形成されている。また、この２本の縦溝部１６Ｂの前記他端側の端縁から離れた位置（図示の例では先端）には、トラフ蓋１２の下面に達する穴２２が形成されている。
【００１７】
また、トラフ蓋１２の一端側の下部には、張り出し部２４が形成され、他端側の下部には、トラフ蓋１２を敷設したとき、隣りのトラフ蓋の張り出し部が入る凹部２６が形成されている。この凹部２６を形成したことにより、縦溝部１６Ｂ及び穴２０を形成した部分は厚さが他の部分よりも薄くなっている。なお、張り出し部２４の上面Ｐのレベルは凹部２６の天井面Ｑ（トラフ蓋１２の他端側の下面）のレベルよりも低く設定されている（理由は後述）。
【００１８】
また、トラフ蓋１２の下面には、長さ方向に、トラフの両側壁の内側に落ち込む２条のガイド突条２８が形成されている。
【００１９】
次に図２を参照して本発明に係るトラフ蓋連結金具の一実施形態を説明する。この連結金具３０は、１本の金属棒を折り曲げて、平行な２本の縦棒部３２と、２本の縦棒部３２の一端側をつなぐ横棒部３４と、２本の縦棒部３２の他端側から下向きに折れ曲がった鉤部３６を一体に形成したものである。２本の縦棒部３２は、トラフ蓋を敷設したときに、隣り合うトラフ蓋の縦溝部１６Ａ、１６Ｂに跨って嵌め込まれる部分であり、横棒部３４は一方のトラフ蓋の横溝部１８に嵌め込まれる部分であり、鉤部３６は他方のトラフ蓋の２つの穴２２に挿入される部分である。
【００２０】
図３は本発明に係るトラフ蓋連結金具の他の実施形態を示す。この連結金具３０が図２のものと異なる点は、２本の鉤部３６が、その上端部よりも下端部の方が間隔が広くなるようにハの字形に形成されていることである（図３Ｃ参照）。それ以外の構成は図２の実施形態と同じであるので、同一部分には同一符号を付して説明を省略する。
【００２１】
図４（Ａ）、（Ｂ）は上記トラフ蓋１２及び連結金具３０を用いたトラフ蓋の連結構造を示す。複数のトラフ蓋１２を、隣り同士で横溝部１８を形成した方の端縁と穴２２を形成した方の端縁とが突き合わさるように敷設すると、隣り合うトラフ蓋１２の縦溝部１６Ａ、１６Ｂが連続するので、横溝部１８及び縦溝部１６Ａ、１６Ｂに、連結金具３０の横棒部３４及び縦棒部３２を嵌め込むと共に、トラフ蓋１２の穴２２に連結金具３０の鉤部３６を挿入する。これにより、隣り合うトラフ蓋１２が連結金具３０によって連結された状態となるので、トラフ蓋１３を動きにくくすることができる。
【００２２】
また、この状態でトラフ蓋１２を開く必要が生じたときは、連結金具３０の横棒部３４を持って鉤部３６が穴２２から抜け出ないように連結金具３０を図４（Ｃ）のように立ち上げる。すると、連結金具３０の鉤部３６がトラフ蓋１２の下面Ｑに引っ掛かるので、この状態で、連結金具３０を引き上げれば、トラフ蓋１２を容易に開くことができる。トラフ蓋１２を再び閉じるときは、上記と逆の手順を踏めばよい。
【００２３】
前述のように、張り出し部２２の上面Ｐのレベルを、凹部２６の天井面Ｑのレベルよりも低く設定したのは、この二つの面Ｐ、Ｑの間に連結金具３０の鉤部３６が入り込むスペースを作るためである。また横溝部１８の中間に拡幅部２０を設けたのは、連結金具３０を立ち上げるときに、横溝部１８内に落ち込んでいる横棒部３４を手指でつまんで引き出しやすくするためである。
【００２４】
なお、連結金具３０の２本の鉤部３６を、図３のように、ハの字形に形成しておくと、鉤部３６をトラフ蓋１２の穴２２に挿入したときに、縦棒部３２が捻られるので、その弾性反発力で鉤部３６が穴２２内面に押し付けられるようになる。このため、トラフ蓋１２、１２を連結する連結金具３０が外れにくくなるという利点がある。鉤部３６を逆ハの字形にしても同様の効果が得られる。
【図面の簡単な説明】
【００２５】
【図１】本発明に係るトラフ蓋の一実施形態を示す、（Ａ）は平面図、（Ｂ）は左側面図、（Ｃ）は右側面図、（Ｄ）は正面図、（Ｅ）は（Ａ）のＥ−Ｅ線断面図、（Ｆ）は底面図。
【図２】本発明に係るトラフ蓋連結金具の一実施形態を示す、（Ａ）は平面図、（Ｂ）は正面図、（Ｃ）は左側面図。
【図３】本発明に係るトラフ蓋連結金具の他の実施形態を示す、（Ａ）は平面図、（Ｂ）は正面図、（Ｃ）は左側面図。
【図４】本発明に係るトラフ蓋連結構造の一実施形態を示す、（Ａ）は平面図、（Ｂ）は（Ａ）のＢ−Ｂ線断面図、（Ｃ）はトラフ蓋を開くときの状態を示す断面図。
【図５】トラフ蓋の使用状態を示す説明図。
【符号の説明】
【００２６】
１０：トラフ
１２：トラフ蓋
１４：土
１６Ａ、１６Ｂ：縦溝部
１８：横溝部
２０：拡幅部
２２：穴
２４：張り出し部
２６：凹部
２８：ガイド突条
３０：連結金具
３２：縦棒部
３４：横棒部
３６：鉤部
【図１】
2007060786.tif 000003
【図２】
2007060786.tif 000004
【図３】
2007060786.tif 000005
【図４】
2007060786.tif 000006
【図５】
2007060786.tif 000007